(57)【要約】【課題】音質の優れた複数チャンネルの音を出力できるパネル状スピーカーを提供することを課題とする。【解決手段】前面が振動板２で構成され、該振動板２の背面側が背面板３で支持されたパネル状スピーカーである。前記振動板２は外周縁部が背面板３で支持されると共に、背面板３の前方に離間された複数の発音領域７を備える。各発音領域７の背面中央に加振器４が設けられる。振動板２における複数の発音領域７の境界部分８ａが背面板３の一部に直接又は間接的に連結されている。【選択図】図１
2010081142.tif 000002
【特許請求の範囲】
【請求項１】
前面が振動板で構成され、該振動板の背面側が背面板で支持されたパネル状スピーカーにおいて、前記振動板は外周が背面板で支持されると共に、背面板の前方に離間された複数の発音領域を備え、各発音領域の背面中央に加振器が設けられ、振動板における前記複数の発音領域の境界部分が背面板の一部に直接又は間接的に連結されていることを特徴とするパネル状スピーカー。
【請求項２】
前記境界部分が背面板の一部に直接接合されることを特徴とする請求項１に記載のパネル状スピーカー。
【請求項３】
前記境界部分が背面板の一部に制震用ゴムを介して連結されることを特徴とする請求項１に記載のパネル状スピーカー。
【発明の詳細な説明】
【技術分野】
【０００１】
本発明はパネル状スピーカーに関する。
【背景技術】
【０００２】
従来より、例えば特許文献１に示すように、天井面や壁面に沿って設けられるパネル状スピーカーが利用されており、この種のパネル状スピーカーは、図６のように、前面を構成する振動板２と背面を構成する背面板３の間に加振器が配設されたものである。
【０００３】
ところで、前記パネル状スピーカーにおいて２チャンネル以上の音を出力するには、図６に示すように振動板２の複数箇所に加振器４を設けることが考えられる。しかし、このようにすると、加振器４による振動板２の振動が他の部分に伝わり、振動板２の他の加振器４により振動される部分や他の加振器を振動させ、音質を低下させる恐れがある。
【０００４】
なお、例えば特許文献２には、スピーカーにおいて、複数の加振器４が設けられた振動板２における加振器４と加振器４の間に位置する部分にリブを形成する等して振動し難い部分とし、これにより各加振器の振動が干渉しないようにしたものがあるが、当該スピーカーはパネル状スピーカーではない。
【特許文献１】特開平１１−２２５３８４号公報
【特許文献２】特開２００５−２４４８０４号公報
【発明の開示】
【発明が解決しようとする課題】
【０００５】
本発明は上記従来の問題点に鑑みてなされたものであって、音質の優れた複数チャンネルの音を出力できるパネル状スピーカーを提供することを課題とする。
【課題を解決するための手段】
【０００６】
上記課題を解決するために請求項１に係るパネル状スピーカーは、以下の構成を有している。前面が振動板２で構成され、該振動板２の背面側が背面板３で支持されたパネル状スピーカーである。前記振動板２は外周が背面板３で支持されると共に、背面板３の前方に離間された複数の発音領域７を備える。各発音領域７の背面中央に加振器４が設けられ、振動板２における前記複数の発音領域７の境界部分８ａが背面板３の一部に直接又は間接的に連結されている。
【０００７】
また、請求項２に係るパネル状スピーカーは、請求項１において、以下の構成を有している。前記境界部分８ａが背面板３の一部に直接接合される。
【０００８】
また、請求項３に係るパネル状スピーカーは、請求項１において、以下の構成を有している。前記境界部分８ａが背面板３の一部に制震用ゴム１７を介して連結される。
【発明の効果】
【０００９】
請求項１に係る発明では、振動板における前記複数の発音領域の境界部分が背面板の一部に直接又は間接的に連結されているので、当該境界部分が発音領域から隣の発音領域への振動の伝播を抑制し、各発音領域を独立して振動させ発音させることができる。したがって、単一の振動板を用いたものでありながら、音質の優れた複数チャンネルの音を出力することができる。
【００１０】
また、請求項２に係る発明では、請求項１の効果に加えて、前記境界部分を背面板の一部に直接接合するだけで、発音領域から隣の発音領域への振動の伝播を抑制することができる。
【００１１】
また、請求項３に係る発明では、請求項１の効果に加えて、前記境界部分が背面板の一部に制震用ゴムを介して連結されるので、境界部分から制震用ゴムに伝わった振動のエネルギーを減衰させることができ、発音領域から隣の発音領域への振動の伝播を一層抑制することができる。
【発明を実施するための最良の形態】
【００１２】
以下、本発明の実施形態を添付図面に基づいて説明する。
【００１３】
図１及び図２に示す本実施形態の一例のパネル状スピーカー１は、部屋の天井面や壁面等に取り付けられ、内装した複数の加振器４により振動板２を振動させることで、複数チャンネルの音を発するものである。
【００１４】
パネル状スピーカー１は全体として矩形状に形成され、前面を構成する一枚の振動板２と、背面を構成し、振動板２の背面側を支持する一枚の背面板３と、振動板２の後面の複数箇所に設けられた加振器４とで構成されている。本例では、加振器４を振動板２の左右２箇所に設け、ステレオ再生可能なパネル状スピーカー１としている。
【００１５】
振動板２は、加振器４により振動しやすいよう、薄く、また、比重が小さい材料で形成されている。振動板２は加振器４により振動させ発音させる部分となる独立した矩形の発音領域７を左右に備えている。両発音領域７は左右対称位置にあり、また、面積が同じである。
【００１６】
振動板２において発音領域７以外の部分は非発音領域８とされる。つまり、発音領域７は非発音領域８により区画された部分である。図示例の非発音領域８は、矩形状の振動板２の外周縁部を構成する各辺と前後一対の辺の中間部間に亘る直線状の部分８ａとで構成され、各発音領域７を囲んでいる。非発音領域８のうち、部分８ａが両発音領域７の境界部分となる。
【００１７】
各加振器４はオーディオ機器やビデオ装置等の音源装置からの出力信号を受け、磁気回路を用いて振動するものであり、前記各発音領域７に一個ずつ設けられている。各加振器４は発音領域７の背面の中央に設けられ、これら加振器４を振動することで、対応する発音領域７を振動させ、振動板２の前方に音源装置からの出力信号に応じた音を発する。
【００１８】
背面板３は、厚く、鉄等の金属材料や高比重の木材やウッドプラスチック等の木質材料で形成される。なお、背面板３は、樹脂材料等の比較的軽い材料で形成されるものであっても良いものとする。
【００１９】
背面板３は各発音領域７に対応する部分を後方に向けて突出させてなる加振器収納部１１を備えており、各加振器収納部１１は前方に向けて開口する浅底の箱状に形成されている。
【００２０】
背面板３の非発音領域８に対応する部位は振動板２の背面に接続されている。具体的には、背面板３の外周縁部が振動板２の外周縁部に接着により直接接合され、背面板３における両加振器収納部１１の間の部位１２が振動板２の両発音領域７の境界部分８ａに接着により直接接合されている。
【００２１】
このように、背面板３が振動板２に連結されることで、振動板２の各発音領域７は後方の背面板３の加振器収納部１１の背面部と離間され、この間に形成された空所１３に加振器４が収納される。
【００２２】
そして、上記のように背面板３の一部が振動板２の非発音領域８に連結されることで、発音領域７を加振器４により振動させた際において非発音領域８の振動を抑え、発音領域７だけを確実に振動させて再現性良く音を発することができる。
【００２３】
特にこの場合、背面板３における両加振器収納部１１の間の部位１２の前面全部は各発音領域７の境界部分８ａに接続されるので、当該境界部分８ａにおける振動を抑制することができる。このため、発音領域７の振動が他の発音領域７や他の発音領域７を振動させる加振器４に伝わり難く、音質を向上することができる。また、背面板３を高比重の金属材料や木質材料で構成することにより、前記境界部分８ａの振動を一層抑えることができ、音質を向上することができる。
【００２４】
また、各加振器収納部１１には振動板２に取り付けた対応する加振器４が背面板３に接しないように収納され、これにより、各加振器４は加振器収納部１１と振動板２とにより囲まれた独立した空所１３に配置されることとなる。
【００２５】
前記背面板３はパネル状スピーカー１を壁面や天井面等に取り付けられる。また、背面板３の各加振器収納部１１は、振動板２から後方に放出される音の前方への回りこみを防止する等、従来のボックス状スピーカーにおけるエンクロージャーのような役割を果たすことができる。
【００２６】
以上説明したスピーカー１は、振動板２と背面板３との間に形成された空所１３に各加振器４を配置することで全体としてパネル状に形成される。このため、壁面や天井面に沿って設けたり、該パネル状スピーカー１により壁面や天井面の一部を構成することができる。
【００２７】
次に図３に示す他例のパネル状スピーカー１について説明する。なお、本例及び後述の更に他例の説明においては、一例のパネル状スピーカー１と同一の構成については同一の番号を付与し、重複する説明は省略する。
【００２８】
本例のパネル状スピーカー１の背面板３には背面板３よりも高比重の重り１５を取り付けてある。重り１５は、背面板３の背面において両加振器収納部１１の間に形成された溝１６に加振器収納部１１の背面と面一となるよう嵌めこまれ、溝１６の底面を構成する部位１２に接着により接続されている。
【００２９】
このように背面板３に重り１５を設けることにより、背面板３の振動を抑えることができ、該背面板３に接続される振動板２の非発音領域８の振動を一層抑えることができる。また、特に重り１５を背面板３における部位１２に設けることで、振動板２の両発音領域７の境界部分８ａの振動を一層防止でき、音質をより向上することができる。
【００３０】
次に図４に示す更に他例のパネル状スピーカー１について説明する。
【００３１】
一例のパネル状スピーカー１は振動板２の境界部分８ａが背面板３の一部に直接接続されて固定されたものであるが、本例のパネル状スピーカー１は振動板２の境界部分８ａが背面板３の一部に間接的に接続されて固定されたものである。
【００３２】
背面板３は前方に開口する浅底の箱状に形成され、背面部は平板状に形成されている。背面板３は外周縁部のみが振動板２に直接連結されている。浅底箱状の背面板３には振動板２に取り付けた複数の加振器４が背面板３に接しないように収納されている。
【００３３】
また、背面板３の境界部分８ａに対応する左右方向の中央部には、制震用ゴム１７の後面が接着により接合され、また、該制震用ゴム１７の前面は振動板２の境界部分８ａの後面に接着により接合され、これにより、背面板３の左右方向の中央部は制震用ゴム１７を介して境界部分８ａに連結されている。
【００３４】
このように、背面板３が振動板２に間接的に連結されることで、振動板２の各発音領域７は後方の背面板３の背面部と離間され、この間に形成された空所１３に各加振器４が収納される。
【００３５】
本例のように、境界部分８ａが背面板３の一部に間接的に連結されることでも境界部分８ａの振動を抑えることができる。また、境界部分８ａから制震用ゴム１７に伝わった振動は制震用ゴム１７の作用により振動エネルギーが減衰する。したがって、本例においても、発音領域７の振動が他の発音領域７や該発音領域７を振動させる加振器４に伝わり難くなり、音質を向上することができる。
【００３６】
また、上記制震用ゴム１７は浅底箱状の背面板３内の空間の前後方向の全長に亘って設けてあり、当該空間を独立した左右の二つの空所１３、１３に仕切っている。各空所１３には加振器４が１個ずつ配置される。
【００３７】
本例における背面板３もパネル状スピーカー１を壁面や天井面等への取り付け箇所として利用することができ、また、従来のボックス状スピーカーにおけるエンクロージャーのような役割を果たすことができる。
【００３８】
なお、前記各例のパネル状スピーカー１は加振器４を２個設けたものであるが、例えば図５に示すように４個の加振器４を設ける等、３個以上の加振器４を設けて３チャンネル以上の音を出力可能なマルチチャンネルスピーカーとして利用するものにも適用しても良いものである。
【図面の簡単な説明】
【００３９】
【図１】本発明の実施の形態の一例のパネル状スピーカーを示す断面図である。
【図２】同上のパネル状スピーカーの斜視図である。
【図３】他例のパネル状スピーカーの断面図である。
【図４】更に他例のパネル状スピーカーの断面図である。
【図５】更に他例のパネル状スピーカーの断面図である。
【図６】従来のパネル状スピーカーの断面図である。
【符号の説明】
【００４０】
１  パネル状スピーカー
２  振動板
３  背面板
４  加振器
７  発音領域
８ａ  境界部分
【図１】
2010081142.tif 000003
【図２】
2010081142.tif 000004
【図３】
2010081142.tif 000005
【図４】
2010081142.tif 000006
【図５】
2010081142.tif 000007
【図６】
2010081142.tif 000008